(57)【要約】【課題】第１に、普段は手持ちで持ち運びされて屋外録画用等に使用されているポータブルビデオカメラを、簡単容易にワンタッチで、即スタジオカメラとして使用でき、第２に、もって大幅コストダウンが実現され、スタジオカメラ不足も解消される、カメラアダプタを提案する。【解決手段】このカメラアダプタ１は、ポータブルビデオカメラ２の取付部３と、取付部３に装着されるポータブルビデオカメラ２と、ビューファインダの取付部５と、取付部５に装着されるビューファインダと、オンエアタリーランプ６と、インターカム機能と、これらの信号授受用のコネクタパネル９と、これらの信号処理用の電子回路部１０と、コールタリーランプと、を有している。そして、スタジオ内で番組制作用に使用され、カメラマンにて操作されると共に、調整室のプロデューサーにてコントロールされる【選択図】図１
2009089114.tif 000002
【特許請求の範囲】
【請求項１】
ポータブルビデオカメラをスタジオカメラとして使用するカメラアダプタであって、
該ポータブルビデオカメラの取付部と、該取付部に装着される該ポータブルビデオカメラと、ビューファインダの取付部と、該取付部に装着される該ビューファインダと、オンエアタリーランプと、インターカム機能と、これらの信号授受用のコネクタパネルと、これらの信号処理用の電子回路部と、を有していること、を特徴とするカメラアダプタ。
【請求項２】
請求項１に記載したカメラアダプタにおいて、該ポータブルビデオカメラが装着された該カメラアダプタは、スタジオ内で番組制作用に使用され、カメラマンにて操作されると共に、調整室のプロデューサーにてコントロールされること、を特徴とするカメラアダプタ。
【請求項３】
請求項２に記載したカメラアダプタにおいて、該ポータブルビデオカメラは、ＨＤハイディフィニションのハンディタイプよりなり、普段は手持ちで持ち運びされて屋外等で使用されることが多く、
該ビューファインダは、現在オンエアされている画像を表示可能であると共に、自身の該カメラアダプタに装着された該ポータブルビデオカメラの画像も、切替表示可能であるあること、を特徴とするカメラアダプタ。
【請求項４】
請求項３に記載したカメラアダプタにおいて、該オンエアタリーランプは、画像が現在オンエアされている該ポータブルビデオカメラの該カメラアダプタについて、点灯し、
該インターカム機能は、該カメラマンと該プロデューサー間での音声相互連絡用に使用され、
該コネクタパネルは、該ポータブルビデオカメラとの間、および、それぞれのベースステーションを介した該調整室との間、更に、該カメラマンのヘッドホンやマイクとの間で、信号や電力の授受を行い、
該電子回路部は、該コネクタパネルの信号授受に基づく信号処理を行うこと、を特徴とするカメラアダプタ。
【請求項５】
請求項４に記載したカメラアダプタにおいて、更に、コールタリーランプが付設されており、該コールタリーランプは、該プロデューサーの該カメラマン呼び出し用に点灯すること、を特徴とするカメラアダプタ。
【請求項６】
請求項５に記載したカメラアダプタにおいて、各該カメラアダプタの該コネクタパネルとその該ベースステーションとの間が、それぞれカメラケーブルで接続されると共に、各該ベースステーションと該調整室との間が、接続ケーブルで接続されており、
該カメラケーブルや該接続ケーブルを介し、該カメラアダプタそして該ポータブルビデオカメラに向けた電力供給と、該ポータブルビデオカメラからの映像信号の送信と、該ビューファインダへのリターン映像信号の送信と、該オンエアタリーランプへのタリー点灯信号の送信と、該インターカム機能用のインターカム音声信号の送受信と、該コールタリーランプへのタリー点灯信号の送信、等が行われること、を特徴とするカメラアダプタ。
【請求項７】
請求項６に記載したカメラアダプタにおいて、該ポータブルビデオカメラからの音声信号も、該コネクタパネル，該電子回路部，該カメラケーブル，該ベースステーション，該接続ケーブル等を介し、該調整室に送信可能となっていること、を特徴とするカメラアダプタ。
【請求項８】
請求項１に記載したカメラアダプタにおいて、該カメラアダプタは、上段と下段の２段構造よりなり、該上段側に、該ビューファインダの取付部と、該取付部に装着される該ビューファインダと、が配され、
該下段側に、該ポータブルビデオカメラの取付部と、該取付部に装着される該ポータブルビデオカメラと、該コネクタパネルと、該電子回路部とが配されると共に、
該オンエアタリーランプが、少なくとも該下段側に配され、かつ、該上段と下段との間が、左右のアーチ状フレームで連結されていること、を特徴とするカメラアダプタ。
【請求項９】
請求項８に記載したカメラアダプタにおいて、該下段下に、ドリー車輪を備えた脚部が配設されており、もって該カメラアダプタが、該スタジオ内を自在に移動可能となっていること、を特徴とするカメラアダプタ。
【発明の詳細な説明】
【技術分野】
【０００１】
本発明は、カメラアダプタに関する。すなわち、ポータブルビデオカメラをスタジオカメラとして使用する、カメラアダプタに関するものである。
【背景技術】
【０００２】
《技術的背景》
スタジオカメラは、テレビ局やプロダクション等のスタジオ内で番組制作用に使用されており、例えば１つのスタジオ内で、大小計３台〜１０台程度のスタジオカメラが、同時併行的に使用されている。そして、この種のスタジオカメラは、ＨＤハイディフィニション化，高品位化の進展が著しい。
他方、家庭用や一般業務用の小型のポータブルビデオカメラは、性能向上はめざましく、ＨＤハイディフィニションのハンディタイプのものが、量産され広く普及しつつある。そして、テレビ局やプロダクション等でも、この種のポータブルビデオカメラが、屋外ロケ収録用，報道番組収録用，屋外中継用等として、採用されている。
【０００３】
《従来技術》
ところで、この種のスタジオカメラは、スタジオ内での番組制作用としての用途に鑑み、種々の専用装備や機能を備えている。
すなわち、この種のスタジオカメラは、オンエアされている画像を表示するビューファインダ、オンエアされているスタジオカメラを示すオンエアタリーランプ、カメラマンとプロデューサー間の相互連絡用のインターカム機能、カメラマン呼び出し用のコールタリーランプ、等々を備えている。
他方、ポータブルビデオカメラは屋外等での録画等専用であると共に、勿論このような装備や機能は備えていない。
【発明の開示】
【発明が解決しようとする課題】
【０００４】
《問題点について》
さて、この種従来のスタジオカメラについては、高額であるという問題が指摘されていた。
すなわち、前述した専用装備や機能を備えたＨＤスタジオカメラは、レンズ付で１台７００万円〜２，０００万円程度の価格よりなり、特にテレビ局やプロダクションにとってコスト負担が過大となっており、スタジオ番組制作現場における台数不足が、懸念される状況にある。
他方、これらのテレビ局やプロダクションで使用されているＨＤポータブルビデオカメラは、屋外ロケ収録用，報道番組収録用，屋外中継用等として、屋外等の録画等専用に使用されており、このような用途に使用されない時は、単に保管され休眠している状況にある。
【０００５】
《本発明について》
本発明のカメラアダプタは、このような実情に鑑み、上記従来例の課題を解決すべくなされたものである。
そして本発明は、第１に、ポータブルビデオカメラをスタジオカメラとして使用する発想を、最大の特徴とし、第２に、もって大幅コストダウンが実現される、カメラアダプタを提案することを目的とする。
【課題を解決するための手段】
【０００６】
《請求項について》
このような課題を解決する本発明の技術的手段は、次のとおりである。
まず、請求項１については次のとおり。請求項１のカメラアダプタは、ポータブルビデオカメラをスタジオカメラとして使用する。
そして、該ポータブルビデオカメラの取付部と、該取付部に装着される該ポータブルビデオカメラと、ビューファインダの取付部と、該取付部に装着される該ビューファインダと、オンエアタリーランプと、インターカム機能と、これらの信号授受用のコネクタパネルと、これらの信号処理用の電子回路部と、を有していること、を特徴とする。
請求項２については、次のとおり。請求項２のカメラアダプタでは、請求項１において、該ポータブルビデオカメラが装着された該カメラアダプタは、スタジオ内で番組制作用に使用され、カメラマンにて操作されると共に、調整室のプロデューサーにてコントロールされること、を特徴とする。
【０００７】
請求項３については、次のとおり。請求項３のカメラアダプタでは、請求項２において、該ポータブルビデオカメラは、ＨＤハイディフィニションのハンディタイプよりなり、普段は手持ちで持ち運びされて屋外等で使用されることが多い。
該ビューファインダは、現在オンエアされている画像を表示可能であると共に、自身の該カメラアダプタに装着された該ポータブルビデオカメラの画像も、切替表示可能であること、を特徴とする。
請求項４については、次のとおり。請求項４のカメラアダプタでは、請求項３において、該オンエアタリーランプは、画像が現在オンエアされている該ポータブルビデオカメラの該カメラアダプタについて、点灯する。該インターカム機能は、該カメラマンと該プロデューサー間での音声相互連絡用に使用される。
該コネクタパネルは、該ポータブルビデオカメラとの間、および、それぞれのベースステーションを介した該調整室との間、更に、該カメラマンのヘッドホンやマイクとの間で、信号や電力の授受を行う。該電子回路部は、該コネクタパネルの信号授受に基づく信号処理を行うこと、を特徴とする。
【０００８】
請求項５については、次のとおり。請求項５のカメラアダプタでは、請求項４において、更に、コールタリーランプが付設されており、該コールタリーランプは、該プロデューサーの該カメラマン呼び出し用に点灯すること、を特徴とする。
請求項６については、次のとおり。請求項６のカメラアダプタでは、請求項５において、各該カメラアダプタの該コネクタパネルとその該ベースステーションとの間が、それぞれカメラケーブルで接続されると共に、各該ベースステーションと該調整室との間が、接続ケーブルで接続されている。
そして、該カメラケーブルや該接続ケーブルを介し、該カメラアダプタそして該ポータブルビデオカメラへの電力供給と、該ポータブルビデオカメラからの映像信号の送信と、該ビューファインダへのリターン映像信号の送信と、該オンエアタリーランプへのタリー点灯信号の送信と、該インターカム機能用のインターカム音声信号の送受信と、該コールタリーランプへのタリー点灯信号の送信、等が行われること、を特徴とする。
請求項７については、次のとおり。請求項７のカメラアダプタでは、請求項６において、該ポータブルビデオカメラからの音声信号も、該コネクタパネル，該電子回路部，該カメラケーブル，該ベースステーション，該接続ケーブル等を介し、該調整室に送信可能となっていること、を特徴とする。
【０００９】
請求項８については、次のとおり。請求項８のカメラアダプタでは、請求項１において、該カメラアダプタは、上段と下段の２段構造よりなり、該上段側に、該ビューファインダの取付部と、該取付部に装着される該ビューファインダと、が配されている。
そして該下段側に、該ポータブルビデオカメラの取付部と、該取付部に装着される該ポータブルビデオカメラと、該コネクタパネルと、該電子回路部とが配されている。該オンエアタリーランプは、少なくとも該下段側に配されている。かつ、該上段と下段との間が、左右のアーチ状フレームで連結されていること、を特徴とする。
請求項９については、次のとおり。請求項９のカメラアダプタでは、請求項８において、該下段下に、ドリー車輪を備えた脚部が配設されており、もって該カメラアダプタが、該スタジオ内を自在に移動可能となっていること、を特徴とする。
【００１０】
《作用等について》
本発明は、このような手段よりなるので、次のようになる。
（１）使用に際しては、カメラアダプタに、ポータブルビデオカメラとビューファインダが、装着される。
（２）又、ポータブルビデオカメラ，カメラアダプタ，ベースステーション間が、それぞれ接続ケーブルやカメラケーブルにて接続される。各ベースステーションと調整室間も、接続されている。
（３）カメラアダプタは、このようにワンタッチで準備されると共に、ドリー車輪付の脚部にて、スタジオ内を自在に移動可能である。
（４）スタジオ内には、このようにスタジオカメラとして使用されるカメラアダプタ等のスタジオカメラが、複数台それぞれカメラマン付で配され、調整室のプロデューサーにてコントロールされる。
（５）そして、各カメラアダプタのポータブルビデオカメラからの映像信号が、調整室に送信され、もってオンエア画像の選択，その他の処理が行われる。
（６）又、調整室からは各カメラアダプタのビューファインダにリターン映像信号が送信され、もってオンエア画像が表示される。更に、画像がオンエアされているカメラアダプタについて、オンエアタリーランプにタリー点灯信号が送信されて、点灯する。
（７）更に調整室からは、各カメラアダプタのコールタリーランプに、タリー点灯信号を送信可能であり、プロデューサーが必要なカメラマンを呼び出し可能となっている。
そして、プロデューサーとカメラマンは、インターカム音声信号の送受信により、インターカム機能にて相互連絡可能となっている。
【００１１】
（８）このように、本発明のカメラアダプタは、スタジオカメラとして機能を全て備えており、その採用により、普段は屋外録画等に使用されているＨＤポータブルビデオカメラを、即ＨＤスタジオカメラとして使用可能となる。
（９）しかもこれは、比較的簡単な基本構造のカメラアダプタに、汎用品であるビューファインダやポータブルビデオカメラを装着することにより、コスト面に優れて実現される。
【発明の効果】
【００１２】
《第１の効果》
第１に、ポータブルビデオカメラを、スタジオカメラとして使用することが、可能となる。
すなわち、本発明のカメラアダプタでは、ＨＤポータブルビデオカメラ、すなわち普段は手持ちで持ち運びされて屋外等での録画等に使用されているＨＤポータブルビデオカメラを、簡単容易にワンタッチで、即高画質，高性能のＨＤスタジオカメラとして使用できるようになる。カメラマンは、小型のポータブルビデオカメラを使いながら、大型のスタジオカメラと差異のない使用感を得ることができる。
ＨＤポータブルビデオカメラは、このようにワンタッチで簡単容易に、高品位の本格ＨＤスタジオカメラに遜色なく変身できると共に、普段は屋外ロケや報道等の録画用に使用される等、効率よく使い回されるようになる。
【００１３】
《第２の効果》
第２に、これにより、大幅コストダウンが実現される。すなわち、本発明のカメラアダプタは、上述したように、ポータブルビデオカメラをスタジオカメラとして使用する。
ＨＤポータブルビデオカメラは、使用中のものをそのまま採用できると共に、購入しても量産効果により１台例えば５０万円程度である。そして本発明により、例えば１，０００万円クラスの従来の本格ＨＤスタジオカメラと差異のない使用感や性能のものが、その１〜２割程度のローコストで獲得されるようになる。
もって、このようなローコスト化により、スタジオ番組制作現場での慢性的なＨＤスタジオカメラ不足の解消が期待され、テレビ局やプロダクションにとって、その意義は大きい。
このように、この種従来例に存した課題がすべて解決される等、本発明の発揮する効果は、顕著にして大なるものがある。
【発明を実施するための最良の形態】
【００１４】
《図面について》
以下、本発明のカメラアダプタを、図面に示した発明を実施するための最良の形態に基づいて、詳細に説明する。図１〜図５は、本発明を実施するための最良の形態の説明に供する。
そして、図１の（１）図は平面図、（２）図は側面図、（３）図は反対側の要部側面図である。図２の（１）図は正面図、（２）図は背面図である。
図３は、ビューファインダを装着した状態を示し、（１）図は平面図、（２）図は側面図、（３）図は反対側の要部側面図である。図４も、ビューファインダを装着した状態を示し、（１）図は正面図、（２）図は背面図である。
図５は、ブロック説明図である。
【００１５】
《本発明の概要について》
まず、本発明のカメラアダプタ１の概要について、説明する。このカメラアダプタ１は、ポータブルビデオカメラ２が装着され、図５に示したように、スタジオＡ内で番組制作用として使用され、カメラマンＢにて操作されると共に、調整室ＣのプロデューサーＤにてコントロールされる。この調整室Ｃは、具体的には、副調整室（サブコントロールルーム）と称されている。
そして、ポータブルビデオカメラ２が装着されたカメラアダプタ１は、前述したこの種従来の専用スタジオカメラと共に又は単独で、計３台〜１０台程度の複数台が、スタジオＡ内で使用され、場面によっていずれかが切換えられてオンエア使用される。
そして、カメラアダプタ１は、図１〜図４に示したように、次の構成を備えている。すなわち、ポータブルビデオカメラ２の取付部３と、取付部３に装着されるポータブルビデオカメラと、ビューファインダ４の取付部５と、取付部５に装着されるビューファインダと、オンエアタリーランプ６と、コールタリーランプ７と、インターカム機能８と、これらの信号授受用のコネクタパネル９と、これらの信号処理用の電子回路部１０と、を有している。
本発明の概要は、このようになっている。
【００１６】
《本発明の外観構造について》
次に、本発明のカメラアダプタ１の外観構造等について、図１〜図４を参照して説明する。
このカメラアダプタ１は、上段１１と下段１２の２段構造よりなる。そして、上段１１側に、ビューファインダ４の取付部５と、取付部５に装着されるビューファインダ４（図３，図４を参照）とが、配されている。
下段１２側に、ポータブルビデオカメラ２の取付部３と、取付部３に装着されるポータブルビデオカメラ２（図１の（２）図を参照）と、コネクタパネル９とが配され、下段１２内に電子回路部１０が収納されている。更に、オンエアタリーランプ６が、少なくとも下段１２側に配され、コールタリーランプ７も、下段１２側に配されている。
上段１１と下段１２の間は、左右のアーチ状フレーム１３で連結されている。下段１２下には、ドリー車輪を備えた脚部が配設されており（図示せず）、もってポータブルビデオカメラ２やビューファインダ４が装着されたカメラアダプタ１が、スタジオＢ内を自在に移動可能となっている。
なお、このカメラアダプタ１は、装着されるポータブルビデオカメラ２の大きさ、つまり大型，中型，小型に対応して、各種大きさの全体形状のものが準備されており、大きさに合わせて選択使用される。
本発明の外観構造は、このようになっている。
【００１７】
《図示例について》
次に、図示例のカメラアダプタ１の外観構造について、図１〜図４を参照して、更に詳述する。まず、上段１１は、水平の小台板状をなし、その中央部上に、ビューファインダ４をワンタッチで装着，着脱可能な取付部５が形成されている。下段１２は、水平のケース状をなし、その中央部上に、ポータブルビデオカメラ２をワンタッチで装着，着脱可能な取付部３が、形成されている。
コネクタパネル９は、下段１２の両側面と背面に配設されているが、更に、下段１２上で左右のアーチ状フレーム１３に囲まれたエリアに配設されて位置するパネル体１４正面側にも、配設されている。オンエアタリーランプ６は、下段１２正面に配設されると共に、ビューファインダ４正面にも付設されている。コールタリーランプ７は、パネル体１４の背面側に配設されている。
又、上段１１には、ライトやマイク等のアクセサリーがワンタッチで取付可能となっており、大型バッテリーの取付機構も備えている。
【００１８】
図中１５はケーブルハンガーである。すなわち、このカメラアダプタ１は、図５に示したようにカメラケーブルＥでベースステーションＦと繋がっていると共に、ドリー車輪付三脚等の脚部に載せられて、脚部ごとスタジオＡ内を前後左右に自在に動き回れるようになっている。
従って、カメラケーブルＥの取り回しが重要となるが、危険も伴い、ドリー車輪にカメラケーブルＥを引掛けて、カメラアダプタ１全体が転倒してしまう虞もある。そこで、このような事態を回避し、カメラケーブルＥがカメラアダプタ１の動きに従動するように、ケーブルハンガー１５が、下段１２の両側面や正面等に付設されている。
又、１６は把手である。この把手１６は、下段１２の左右両側面や背面に付設されており、カメラアダプタ１を脚部ごと移動させる際に使用される。更に、左右両側面の把手１６は、カメラアダプタ１を運搬する際の固定金具として、又、高所からチェーン等で吊り下げる際の取付箇所としても、利用される。
そして、カメラアダプタ１は、全体的に肉厚１０ｍｍのアルミ材が使用され、もって十分な強度，重厚な質感，軽量化，独創的形状，スタジオカメラ的感覚等を、備えるに至っている。
図示例のカメラアダプタ１は、このような外観構造よりなる。
【００１９】
《ポータブルビデオカメラ２やビューファインダ４について》
次に、このカメラアダプタ１で使用されるポータブルビデオカメラ２や、ビューファインダ４について、図１〜図４を参照して説明する。
ポータブルビデオカメラ２は、ＨＤハイディフィニションの小型ハンディタイプよりなり、普段は手持ちで持ち運びされ、屋外等で使用されることが多い。
ビューファインダ４は、オンエアされている画像を表示可能であると共に、自身のカメラアダプタ１に装着されたポータブルビデオカメラ２の画像も、切替表示可能である。
【００２０】
これらについて、更に詳述する。ポータブルビデオカメラ２としては、代表的には、テレビ局やプロダクション等において、屋外ロケ収録用，報道番組収録用，屋外中継用等として、使用されているものが、そのまま使用される。そして、各種大きさのポータブルビデオカメラ２が、取付部３に対し装着，脱着可能となっている。
もって、ポータブルビデオカメラ２は、そのアナログやデジタルのＨＤビデオ映像出力信号（ＨＤアナログコンポーネント信号、又はＨＤ−ＳＤＩ信号）を、接続ケーブルＧ（図５を参照）を介して出力，送出して、カメラアダプタ１本体の電子回路部１０に、コネクタパネル９を介して入力する。なお、ポータブルビデオカメラ２の仕様は各社各様であるが、それぞれ専用の接続ケーブルＦを選択使用することにより、いずれのポータブルビデオカメラ２も使用可能である。
ビューファインダ４は、アナログコンポジット信号対応かＨＤ−ＳＤＩ信号対応の６形〜１０形の液晶が使用され、それぞれ取付部５に装着，脱着可能となっており、専用の接続ケーブル（図示せず）を介しコネクタパネル９に接続される。
そしてビューファインダ４には、カメラケーブルＥ，電子回路部１０，コネクタパネル９，その接続ケーブル等を介し、リターン映像信号が送出され、もって送り返し映像つまり現在オンエアされている画像を、表示するようになっている。
従ってカメラマンＢは、オンエア画像を随時確認可能である。すなわち、ポータブルビデオカメラ２が装着されたカメラアダプタ１をスタジオカメラとして使用するカメラマンＢは、各カメラアダプタ１や同時使用されている従来よりの専用スタジオカメラ等の撮影する画像の内、現在のオンエア画像（自分の撮影する画像又は他者の撮影する画像）を、随時確認可能となっている。
これと共にカメラマンＢは、スイッチ切換えにより、自分の撮影する画像も、切換表示，確認可能となっている。
ポータブルビデオカメラ２やビューファインダ４は、このようになっている。
【００２１】
《オンエアタリーランプ６，コールタリーランプ７，インターカム機能８等について》
次に、カメラアダプタ１に装備されたオンエアタリーランプ６，コールタリーランプ７，インターカム機能８等について、図１〜図４を参照して説明する。
オンエアタリーランプ６は、画像が現在オンエアされているポータブルビデオカメラ２のカメラアダプタ１について、点灯する。
コールタリーランプ７は、プロデューサーＤがカメラマンＢの呼び出す時に点灯する。インターカム機能８は、カメラマンＢとプロデューサーＤ間の音声相互連絡用に使用される。
【００２２】
これらについて、さらに詳述する。まずオンエアタリーランプ６は、送出されたオンエアタリー点灯信号に基づき、その画像が現在オンエアされているポータブルビデオカメラ２のカメラアダプタ１について、赤色点灯する。
もって、出演者ＴやカメラマンＢ等に、現在オンエアされているのは、どのカメラなのかを、確認させるべく機能する。ポータブルビデオカメラ２が装着されスタジオカメラとして使用中の各カメラアダプタ１や、同時使用されている従来よりの専用スタジオカメラの内、画像が現在オンエアされているのはどれなのかを、点灯表示する。
コールタリーランプ７は、送出されたコールタリー点灯信号に基づき、点灯する。もって、ポータブルビデオカメラ２が装着されたカメラアダプタ１を操作するカメラマンＢに対し、プロデューサーＤが呼び出している旨を、伝達する。
インターカム機能８は、カメラマンＢとプロデューサーＤ間の音声信号の授受により達成され、両者が音声にて相互コミュニケーションを取ることが可能となっている。カメラマンＢは、図５に示したように、インターカム機能８用のヘッドホン付マイク１７を、装備している。
オンエアタリーランプ６，コールタリーランプ７，インターカム機能８は、このようになっている。
【００２３】
《コネクタパネル９や電子回路部１０について》
次に、カメラアダプタ１に装備されたコネクタパネル９や電子回路部１０について、図１〜図５を参照して説明する。
コネクタパネル９は、ポータブルビデオカメラ２との間、および、それぞれのベースステーションＦを介した調整室Ｃとの間、更に、カメラマンＢのヘッドホン付マイク１７との間で、信号や電力の授受を行う。
電子回路部１０は、コネクタパネル９の信号授受に基づき、信号処理を行う。
【００２４】
これらについて、詳述する。コネクタパネル９は、ａ．そのカメラアダプタ１に装着されたポータブルビデオカメラ２に対し、接続ケーブルＧにて接続され、ｂ．ベースステーションＦに対し、カメラケーブルＥで接続され、ｃ．カメラマンＢのヘッドホン付マイク１７に対し、ケーブル（図示せず）で接続される。もって、各種信号の授受を行うと共に、ポータブルビデオカメラ２に電力供給を行う。
電子回路部１０は、コネクタパネル９経由で授受される各種信号について、それぞれ必要な処理を実施する。例えば、カメラアダプタ１に装着されたポータブルビデオカメラ２から入力されるＨＤビデオ映像信号が、アナログ信号の場合は、これをデジタルＨＤ信号に変換してカメラケーブルＥへと送出すべく、変換処理する。つまり、ＨＤアナログコンポーネント信号やＨＤ−ＭＩ信号をＨＤ−ＳＤＩ信号に変換する、コンバーターを内蔵している。
コネクタパネル９や電子回路部１０は、このようになっている。
【００２５】
《カメラケーブルＥ，その他について》
次に、このカメラアダプタ１用に使用されるカメラケーブルＥ，その他について、図５を参照して説明する。
まず、各カメラアダプタ１のコネクタパネル９と、そのベースステーションＦとの間が、それぞれカメラケーブルＥで接続されると共に、各ベースステーションＦと調整室Ｃとの間が、接続ケーブルＨで接続されている。
すなわち、ポータブルビデオカメラ２が装着されたカメラアダプタ１は、スタジオＡ内で通常離れて位置する専用のベースステーションＦに、それぞれ個別のカメラケーブルＥにて、接続される。
各ベースステーションＦは、信号等の送受信処理等を実施するユニットよりなり、スタジオＡ外の調整室Ｃに、接続ケーブルＨにて集合接続されている。調整室Ｃでは、プロデューサーＤが全体をコントロールしている。
【００２６】
そして、カメラケーブルＥ，接続ケーブルＨ，更には前述した接続ケーブルＧ等を介し、電力供給や信号の送受信が行われる。
すなわち、カメラアダプタ１そしてポータブルビデオカメラ２に向けた電力供給と、ポータブルビデオカメラ２からの映像信号の送信と、ビューファインダ４へのリターン映像信号の送信と、オンエアタリーランプ６へのタリー点灯信号の送信と、インターカム機能８用のインターカム音声信号の送受信と、コールタリーランプ７へのタリー点灯信号の送信等が、行われる。
このように、カメラケーブルＥ，接続ケーブルＨ，更には接続ケーブルＧ等にて、調整室Ｃ，プロデューサーＤ側から、各ベースステーションＦを経由した電力供給，信号の送信が行われると共に、ポータブルビデオカメラ２，カメラアダプタ１，カメラマンＢ側から、信号の送信が行われる。
【００２７】
なお、ポータブルビデオカメラ２からの音声信号も、接続ケーブルＧ，カメラアダプタ１のコネクタパネル９，電子回路部１０，カメラケーブルＥ，ベースステーションＦ，接続ケーブルＨ等を介し、調整室Ｃに送信可能とすることも考えられる。
すなわち、以上説明してきた例では、ポータブルビデオカメラ２の映像信号（ビデオ出力）の利用が、ポイントとなっていたが、ポータブルビデオカメラ２では、これと共に付設されたマイクロホンによる音声信号も存しており、この音声信号（オーディオ出力）の利用も勿論可能である。
なお、スタジオＡ内において、音声は、通常スタジオＡ内に配された専用マイクロホン（図示せず）を利用して、信号化されて使用される。
カメラケーブルＥ，その他は、このようになっている。
【００２８】
《作用等》
本発明のカメラアダプタ１は、以上説明したように構成されている。そこで、以下のようになる。
（１）使用に際しては、まず、カメラアダプタ１の取付部３に、ポータブルビデオカメラ２が、装着，搭載される。これと共に、カメラアダプタ１の取付部５には、ビューファインダ４が装着，搭載されている。
【００２９】
（２）それから、ポータブルビデオカメラ２とカメラアダプタ１のコネクタパネル９との間が、接続ケーブルＧで接続される。又、カメラアダプタ１のコネクタパネル９とベースステーションＦとの間が、カメラケーブルＥで接続される。各ベースステーションＦと調整室Ｃとの間は、予め接続ケーブルＨで接続されている。
このように、簡単容易にワンタッチで、スタジオカメラとしての準備が完了する。
【００３０】
（３）このように準備されたカメラアダプタ１、すなわちポータブルビデオカメラ２や
ビューファインダ４が装着，搭載されたカメラアダプタ１は、ドリー車輪を備えた脚部にて、スタジオＡ内を自在に移動可能であり、スタジオカメラとして使用される。
【００３１】
（４）スタジオＡ内には、このように準備されスタジオカメラとして使用されるカメラアダプタ１や、従来よりの専用スタジオカメラが、計３台〜１０台程度の複数台、各々操作するカメラマンＢ付で配されている。
そして、スタジオＡ外の調整室ＣのプロデューサーＤのコントロールのもとに、それぞれのポータブルビデオカメラ２の画像が、切換オンエア使用される。
【００３２】
（５）すなわちまず、スタジオカメラとして使用される各カメラアダプタ１のポータブルビデオカメラ２からの映像信号が、それぞれ、カメラケーブルＥ，ベースステーションＦ，その他を介し、調整室Ｃに向け送信され、もってオンエア画像の選択、その他の処理が実施される。
【００３３】
（６）調整室Ｃからは、ベースステーションＦ，カメラケーブルＥ，その他を介し、スタジオカメラとして使用されている各カメラアダプタ１のビューファインダ４に向け、リターン映像信号が送信され、もって、各カメラマンＢ等に向けて、それぞれのビューファインダ４に現在のオンエア画像が表示される。
又、調整室Ｃからは、スタジオカメラとして使用されると共に画像が現在オンエアされているカメラアダプタ１のオンエアタリーランプ６に向け、オンエアタリー点灯信号が送信され、もって出演者Ｔ等に向け、画像が現在オンエアされているカメラアダプタ１がどれなのかを告知すべく、オンエアタリーランプ６が、点灯する。
【００３４】
（７）更に、調整室Ｃからは、ベースステーションＦ，カメラケーブルＥ，その他を介し、スタジオカメラとして使用されている各カメラアダプタ１のコールタリーランプ７に向けて、コールタリー点灯信号を送信可能となっている。もって、調整室ＣのプロデューサーＤが、スタジオＡ内の必要なカメラマンＢを、呼び出すことができるようになっている。
そして、プロデューサーＤと各カメラマンＢとは、ベースステーションＦ，カメラケーブルＥ，その他を介し、インターカム音声信号により、インターカム機能８にて相互連絡することが可能となっている。
【００３５】
（８）このように、本発明のカメラアダプタ１は、スタジオカメラとして具備すべき機能をすべて備えており、その採用により、普段は手持ちで持ち運びされ、屋外等での収録等に使用されていたＨＤポータブルビデオカメラ２を、即ＨＤスタジオカメラとして使用可能となる。
高品質，高性能のＨＤスタジオカメラが、ＨＤポータブルビデオカメラ２を使用して、ワンタッチで簡単容易に実現される。
【００３６】
（９）しかもこれは、コスト面に優れつつ実現される。すなわち、このカメラアダプタ１は、アーチ状フレーム１３で連結された上下２段構造について、取付部３，取付部５，コネクタパネル９，電子回路部１０，オンエアタリーランプ６，コールタリーランプ７，
インターカム機能８等、を配した基本構成よりなる。
そして、このように比較的簡単な基本構成よりなるカメラアダプタ１に、市販され汎用されているビューファインダ４やポータブルビデオカメラ２を装着することにより、スタジオカメラとしての使用が実現される。ポータブルビデオカメラ２は、市販品のほか、現在使用中の汎用品をそのまま利用可能である。
これらにより、本発明のカメラアダプタ１によるポータブルビデオカメラ２のスタジオカメラ化は、コスト面に優れつつ実現される。
本発明の作用等は、このようになっている。
【図面の簡単な説明】
【００３７】
【図１】本発明に係るカメラアダプタについて、発明を実施するための最良の形態の説明に供し、（１）図は、平面図、（２）図は、側面図、（３）図は、反対側の要部側面図である。
【図２】同発明を実施するための最良の形態の説明に供し、（１）図は、正面図、（２）図は、背面図である。
【図３】同発明を実施するための最良の形態の説明に供し、ビューファインダを装着した状態を示し、（１）図は、平面図、（２）図は、側面図、（３）図は、反対側の要部側面図である。
【図４】同発明を実施するための最良の形態の説明に供し、ビューファインダを装着した状態を示し、（１）図は、正面図、（２）図は、背面図である。
【図５】同発明を実施するための最良の形態の説明に供し、ブロック説明図である。
【符号の説明】
【００３８】
１  カメラアダプタ
２  ポータブルビデオカメラ
３  取付部
４  ビューファインダ
５  取付部
６  オンエアタリーランプ
７  コールタリーランプ
８  インターカム機能
９  コネクタパネル
１０  電子回路部
１１  上段
１２  下段
１３  アーチ状フレーム
１４  パネル体
１５  ケーブルハンガー
１６  把手
１７  ヘッドホン付マイク
Ａ  スタジオ
Ｂ  カメラマン
Ｃ  調整室
Ｄ  プロデューサー
Ｅ  カメラケーブル
Ｆ  ベースステーション
Ｇ  接続ケーブル
Ｈ  接続ケーブル
Ｔ  出演者
【図１】
2009089114.tif 000003
【図２】
2009089114.tif 000004
【図３】
2009089114.tif 000005
【図４】
2009089114.tif 000006
【図５】
2009089114.tif 000007